(57)【要約】【課題】  収容凹部が少なくとも２つ設けられたパッド材収容容器の各収容凹部にパッド材を収容させた携帯用パッド材において、各収容凹部に収容された各パッド材をそれぞれ個別に簡単に取り出せるようにすると共に、左右対称になったパッド材のように、紛らわしい形状の各パッド材においても間違わないようにして取り出すことが容易に行えるようにする。【解決手段】  パッド材1a,1bを収容させる収容凹部21,22が少なくとも２つ設けられたパッド材収容容器20において、折り曲げ部23を介して各収容凹部を設けるようにし、このパッド材収容容器の各収容凹部内にパッド材を収容させると共に、この収容凹部の開口部21c,22cを閉塞部材30により密封させて携帯用パッド材を得た。【選択図】        図５
0003102443.tif 000002
【実用新案登録請求の範囲】
【請求項１】
パッド材を収容させる収容凹部が少なくとも２つ設けられたパッド材収容容器において、各収容凹部が折り曲げ部を介して設けられていることを特徴とするパッド材収容容器。
【請求項２】
請求項１に記載したパッド材収容容器において、上記の折り曲げ部が切り離し可能になっていることを特徴とするパッド材収容容器。
【請求項３】
請求項１又は請求項２に記載したパッド材収容容器において、少なくとも２つの収容凹部の平面形状が異なっていることを特徴とするパッド材収容容器。
【請求項４】
請求項３に記載したパッド材収容容器において、少なくとも２つの収容凹部の平面形状が左右対称になっていることを特徴とするパッド材収容容器。
【請求項５】
請求項１〜４の何れか１項に記載したパッド材収容容器の各収容凹部内にパッド材が収容されると共に、各収容凹部の開口部が閉塞部材により密封されていることを特徴とする携帯用パッド材。
【請求項６】
請求項５に記載した携帯用パッド材において、上記の閉塞部材がパッド材収容容器における折り曲げ部において切り離し可能になっていることを特徴とする携帯用パッド材。
【考案の詳細な説明】
【技術分野】
【０００１】
本考案は、パッド材を収容させる収容凹部が少なくとも２つ設けられたパッド材収容容器及びこのパッド材収容容器における各収容凹部にパッド材を収容させた携帯用パッド材に係り、特に、各収容凹部に収容された各パッド材をそれぞれ個別に簡単に取り出せるようにすると共に、左右対称になった一対のパッド材のように形状が紛らわしいパッド材においても、所望のパッド材を間違わないようにして取り出すことが容易に行えるようにした点に特徴を有するものである。
【背景技術】
【０００２】
近年、保冷や美顔等の様々な目的で、少なくとも水溶性高分子と水とを加えてゲル化させたゲル状粘着体からなるパッド材が用いられるようになり、またこのようなパッド材を携帯できるようにするため、このパッド材をパッド材収容容器に設けられた収容凹部内に収容させて、この収容凹部の開口部を閉塞部材により密封させた携帯用パッド材が商品化されている。
【０００３】
そして、このような携帯用パッド材としては、パッド材収容容器に収容凹部を１つ設け、この１つの収容凹部に１つのパッド材を収容させるようにしたものの他に、例えば、パッド材収容容器に目元から目尻にかけて貼付させる一対のパッド材を収容させる一対の収容凹部を設けたものなどが使用されている。
【０００４】
ここで、上記のようにパッド材収容容器に目元から目尻にかけて貼付させる一対のパッド材を収容させる一対の収容凹部を設ける場合、このパッド材収容容器の面積を小さくするため、図１（Ａ），（Ｂ）に示すように、パッド材収容容器１０に一対のパッド材１ａ，１ｂを収容させる２つの収容凹部１１，１２を近接して設けるようにしている。
【０００５】
そして、このようなパッド材収容容器１０に一対のパッド材１ａ，１ｂを収容させて携帯用パッド材を得るにあたっては、図２に示すように、このパッド材収容容器１０における各収容凹部１１，１２にそれぞれパッド材１ａ，１ｂを収容させると共に、各収容凹部１１，１２の開口部１１ａ，１２ａを密封するようにして閉塞部材３０を取り付けるようにしている。
【０００６】
そして、このようにパッド材収容容器１０に収容させたパッド材１を使用するにあたっては、上記のように各収容凹部１１，１２の開口部１１ａ，１２ａを密封するように取り付けた閉塞部材３０を取り外し、各収容凹部１１，１２からそれぞれパッド材１ａ，１ｂを取り出し、各パッド材１ａ，１ｂをそれぞれ所定の位置に貼付させるようにしている。
【０００７】
ここで、上記のような携帯用パッド材においては、パッド材収容容器１０の各収容凹部１１，１２に収容された２つのパッド材１ａ，１ｂを常に一緒に取り出して使用することを想定しているが、必ずしも、２つのパッド材１を常に一緒に取り出して使用する場合に限られず、１つのパッド材１ａだけを使用したいという場合も存在した。
【０００８】
しかし、上記のような携帯用パッド材においては、パッド材収容容器１０における２つの収容凹部１１，１２が近接して設けられているため、上記のように各収容凹部１１，１２の開口部１１ａ，１２ａを密封するように取り付けた閉塞部材３０を取り外す際に、一方の収容凹部１１の開口部１１ａだけを開口させるようにして閉塞部材３０を取り外すことは非常に困難であり、１つのパッド材１ａだけを取り出して使用することが非常に困難になるという問題があった。
【０００９】
また、近年においては、パッド材１ａ，１ｂをそれぞれの貼付部位に適応した形状に形成するため、上記のような一対のパッド材１ａ，１ｂの形状を左右対称になるように異ならせたものも用いられるようになった。
【００１０】
しかし、上記のように単に２つの収容凹部１１，１２を近接して設けただけのパッド材収容容器１０にこれらのパッド材１ａ，１ｂを収容させた場合、左右の何れに使用するバッド材１ａ，１ｂであるかを簡単に識別することができないという問題もあった。
【考案の開示】
【考案が解決しようとする課題】
【００１１】
この考案は、パッド材を収容させる収容凹部が少なくとも２つ設けられたパッド材収容容器及びこのパッド材収容容器における各収容凹部にパッド材を収容させた携帯用パッド材における上記のような問題を解決することを課題とするものである。
【００１２】
すなわち、この考案においては、収容凹部が少なくとも２つ設けられたパッド材収容容器の各収容凹部にパッド材を収容させた携帯用パッド材において、各収容凹部に収容された各パッド材をそれぞれ個別に簡単に取り出せるようにすると共に、左右対称になった一対のパッド材のように形状が紛らわしいパッド材においても、所望のパッド材を間違わないようにして取り出すことが容易に行えるようにすることを課題とするものである。
【課題を解決するための手段】
【００１３】
この考案のパッド材収容容器においては、上記のような課題を解決するため、パッド材を収容させる収容凹部が少なくとも２つ設けられたパッド材収容容器において、各収容凹部が折り曲げ部を介して設けられるようにした。
【００１４】
ここで、上記のパッド材収容容器においては、上記の折り曲げ部をミシン目等で構成して切り離し可能にし、各収容凹部を分離できるようにすることが好ましい。
【００１５】
また、この考案の携帯用パッド材においては、上記のパッド材収容容器の各収容凹部内にパッド材を収容させると共に、各収容凹部の開口部を閉塞部材により密封させるようにした。
【００１６】
ここで、上記の携帯用パッド材においては、上記の閉塞部材をパッド材収容容器における折り曲げ部において切り離しできるようにすることが好ましい。
【考案の効果】
【００１７】
この考案においては、上記のようにパッド材を収容させる収容凹部が少なくとも２つ設けられたパッド材収容容器における各収容凹部を、折り曲げ部を介して設けるようにし、またこのパッド材収容容器における各収容凹部内にパッド材を収容させると共に、各収容凹部の開口部を閉塞部材により密封させて携帯用パッド材を得るようにした。
【００１８】
そして、この携帯用パッド材においては、上記のようにパッド材収容容器における各収容凹部を、折り曲げ部を介して設けているため、この折り曲げ部においてパッド材収容容器を折り曲げることにより、この携帯用パッド材をコンパクトにすることができる。
【００１９】
また、この携帯用パッド材において、１つの収容凹部に収容されたパッド材だけを取り出す場合には、この収容凹部と他の収容凹部との間にある折り曲げ部分まで閉塞部材を剥離させることが容易になり、各収容凹部に収容された各パッド材をそれぞれ個別に簡単に取り出せるようになる。
【００２０】
また、上記の携帯用パッド材において、上記の閉塞部材をパッド材収容容器における折り曲げ部において切り離しできるようにすると、パッド材を取り出す収容凹部を密封している閉塞部材だけを剥離させることがさらに簡単に行えるようになる。
【００２１】
また、上記のパッド材収容容器における折り曲げ部をミシン目等で構成して切り離し可能にすると、上記のように１つの収容凹部に収容されたパッド材だけを取り出した後、この収容凹部に対応する折り曲げ部においてパッド材収容容器を切り離して、パッド材が収容された収容凹部とパッド材が収容されていない収容凹部とを分離させることができ、パッド材が収容された収容凹部の部分だけを保管することもできるようになる。
【考案を実施するための最良の形態】
【００２２】
以下、この考案の実施形態に係るパッド材収容容器及び携帯用パッド材を添付図面に基づいて具体的に説明する。なお、この考案に係るパッド材収容容器及び携帯用パッド材は、特に下記の実施形態に示したものに限定されるものではなく、その要旨を変更しない範囲において適宜変更して実施できるものである。
【００２３】
この実施形態に係るパッド材収容容器２０においては、図３（Ａ），（Ｂ）に示すように、目元から目尻にかけて貼付させる左右対称になった一対のパッド材１ａ，１ｂを収容させる左右対称になった一対の収容凹部２１，２２が、ミシン目からなる切断可能な折り曲げ部２３を介して設けられている。
【００２４】
そして、上記の各収容凹部２１，２２においては、パッド材１ａ，１ｂを容易に取り出せるようにするため、図４（Ａ）に示すように、各収容凹部２１，２２の周壁２１ａ，２２ａを、それぞれその底部２１ｂ，２２ｂから開口部２１ｃ，２２ｃに向けてテーパー状に広がるように形成している。なお、上記の各収容凹部２１，２２における周壁２１ａ，２２ａは特にこのようなものに限定されず、離水率が低くて粘着性が高くなったパッド材１ａ，１ｂを得るために粘着性や表面張力が高いゲル組成物を用いた場合においては、このようなゲル組成物が各収容凹部２１，２２内に十分に充填されるようにするため、図４（Ｂ）に示すように、各収容凹部２１，２２の周壁２１ａ，２２ａが、それぞれその底部２１ｂ，２２ｂから略垂直に立ち上がった立ち上り部２１ａ１，２２ａ１と、この立ち上り部２１ａ１，２２ａ１から収容凹部２１，２２の開口部２１ｃ，２２ｃに向けて広がったテーパー部２１ａ２，２２ａ２とを有するようにしたり、図４（Ｃ）に示すように、各収容凹部２１，２２の周壁２１ａ，２２ａを、それぞれその底部２１ｂ，２２ｂから開口部２１ｃ，２２ｃに向けて略垂直に立ち上げるようにすることも可能である。
【００２５】
そして、上記のパッド材収容容器２０を用いて携帯用パッド材を製造するにあたっては、上記の各収容凹部２１，２２内にパッド材１ａ，１ｂを構成するゲル組成物を充填させた後、図５（Ａ），（Ｂ）に示すように、上記の各収容凹部２１，２２の開口部２１ｃ，２２ｃを密封するようにして閉塞部材３０をパッド材収容容器２０の表面に取り付け、上記のゲル組成物をゲル化させて、パッド材１ａ，１ｂが各収容凹部２１，２２内に収容された携帯用パッド材を得るようにする。
【００２６】
ここで、この実施形態においては、一対の収容凹部２１，２２の間にミシン目からなる切断可能な折り曲げ部２３を設けるにあたり、上記のようにして閉塞部材３０をパッド材収容容器２０の表面に取り付けた状態で、このパッド材収容容器２０と一緒に閉塞部材３０にもミシン目を設けるようにし、ミシン目からなる切断可能な折り曲げ部２３を一対の収容凹部２１，２２の間に形成すると共に、閉塞部材３０にも対応したミシン目による切断可能な切り離し部３１を設けるようにしている。
【００２７】
そして、上記の携帯用パッド材を保管し、またこれを携帯する場合には、図６に示すように、ミシン目からなる折り曲げ部２３及び切り離し部３１が設けられた部分において、この携帯用パッド材を折り曲げて折り畳むようにする。このようにすると、この携帯用パッド材がコンパクトになって、その保管や携帯が容易になる。しかも、このように閉塞部材３０ａ，３０ｂを対向させて折り曲げるため、この閉塞部材３０ａ，３０ｂが外部に露出せず、保管時や携帯時、その他の取り扱い時に、この閉塞部材３０ａ，３０ｂが破損されるのを防止することができる。
【００２８】
また、上記のようにパッド材１ａ，１ｂが各収容凹部２１，２２に収容された携帯用パッド材から１つのパッド材１ｂを取り出して使用するにあたっては、図７に示すように、上記の閉塞部材３０において、このパッド材１ｂが収容されている収容凹部２２の開口部２２ｃを密封するようにして取り付けられた閉塞部材部分３０ｂをパッド材収容容器２０の表面から剥がし、この閉塞部材部分３０ｂを上記の切り離し部３１において他方のパッド材１ａが収容されている収容凹部２１の開口部２１ｃを密封するようにして取り付けられた閉塞部材部分３０ａと切り離し、開口部２２ｃが開口された上記の収容凹部２２からパッド材１ｂを取り出すようにする。
【００２９】
このようにすると、上記のようにパッド材１ａ，１ｂが各収容凹部２１，２２に収容された携帯用パッド材から各パッド材１ａ，１ｂを個別に取り出すことが簡単に行えるようになる。
【００３０】
また、この実施形態においては、上記のように左右対称になった一対のパッド材１ａ，１ｂを左右対称になった一対の収容凹部２１，２２に収容させているため、左右の何れのパッド材１ａ，１ｂを取り出す場合においても、取り出したいパッド材１ａ，１ｂを簡単に識別することができ、誤って逆のパッド材１ａ，１ｂを取り出すことも防止される。
【００３１】
なお、上記のようにして一方の収容凹部２２からパッド材１ｂを取り出した後は、パッド材収容容器２０に設けたミシン目からなる折り曲げ部２３においてパッド材収容容器２０を切断し、パッド材１ｂを取り出した収容凹部２２の部分を破棄して、パッド材収容容器２０の残りだけを保管し、携帯することもできる。
【００３２】
ここで、上記のパッド材収容容器２０を構成する材質としては、射出成形、真空成形、圧空成形等が可能な熱可塑性樹脂を用いることが好ましいが、別段これに限定されるものではない。また、収容させるパッド材１０の性質及びこのパッド材１０に混入される各種の物質を考慮して、透光性又は遮光性等の特性をもつ材質を適宜選択して用いるようにする。
【００３３】
さらに、上記のパッド材収容容器２０は、単一の樹脂で構成されたものであっても、また複数の樹脂層のラミネート体や、樹脂層と金属層その他の層とのラミネート体であっても良い。
【００３４】
なお、上記のパッド材収容容器２０が、単一の樹脂で形成されかつ透光性を要する場合には、ポリプロピレン、ポリエチレンテレフタレート、ポリスチレン等の熱可塑性樹脂が好ましいものとして挙げられる。一方、遮光性を要する場合には、上記樹脂層にアルミ箔をラミネートしたラミネート体が好ましいものとして挙げられる。しかし、これらに限定されるものではない。
【００３５】
また、パッド材収容容器２０の肉厚は、携帯時、流通時、保存時等に加わる力に耐える機械的強度を有するように設定され、例えば、射出成形による場合には、３０〜１０００μｍが好ましく、１００〜５００μｍがさらに好ましい範囲として挙げられるが、これも限定されるものではない。
【００３６】
また、このパッド材収容容器２０に設ける収容凹部２１，２２の平面形状は、パッド材１ａ，１ｂの平面形状に対応するため、パッド材１ａ，１ｂを貼付させる部位に応じて適宜変更することができ、前記のように左右対称になっている必要はなく、全く異なった形状になっていてもよい。
【００３７】
また、上記のパッド材１ａ，１ｂは、少なくとも水溶性高分子と水とを加えてゲル化するゲル組成物で構成され、このゲル組成物は、架橋剤、増粘剤、ゲル化剤等の添加物を必要としてゲル化するものであっても、このような添加物を用いなくてゲル化するものであってもよい。
【００３８】
そして、パッド材１ａ，１ｂに用いる上記の水溶性高分子としては、例えば、カラギーナン、ローカストビーンガム、グルコマンナン、ポリアクリル酸、ポリアクリル酸の塩類、ポリアクリル酸の部分中和物、ポリグルタミン酸、ポリグルタミン酸の塩類、ポリグルタミン酸の部分中和物、ポリビニルアルコール、ゼラチン、カルボキシメチルセルロースナトリウム、アルギン酸、アルギン酸の塩類、カルボキシビニルポリマー、グラフト澱粉からなる群から選択される１つ又は２つ以上の混合物を用いることができるが、特に、これらに限定されるものではない。
【００３９】
また、上記のパッド材１ａ，１ｂにおいては、それぞれの目的に応じて、アロマオイルや薬理活性物質を含有させることができる。
【００４０】
そして、このようにパッド材１ａ，１ｂにアロマオイルや薬理活性物質を含有させると、パッド材１ａ，１ｂからこれらの物質が身体の対象部位に徐々に伝わり、保冷・保湿効果と共に、これらの物質による効果も得られるようになる。
【００４１】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。
【００４２】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００４３】
また、このパッド材１ａ，１ｂにおいては、その内部での液体の移動が容易に行われるようにするため、例えば、少なくとも表面が親水性を有する繊維群を内部に分散させるようにしても良い。この繊維群としては、例えば、パルプ、木綿糸、レーヨン、その他の各種親水性樹脂繊維のほか、表面が親水性処理された各種の疎水性樹脂繊維や、ガラス繊維・セラミックス繊維等が挙げられるが、これらに限定されない。また、上記繊維群は、パッド材１ａ，１ｂの内部で三次元的に絡み合うように分散されることが好ましい。
【図面の簡単な説明】
【００４４】
【図１】一対のパッド材を収容させる２つの収容凹部を近接して設けられた従来のパッド材収容容器の平面図及び断面説明図である。
【図２】図１に示したパッド材収容容器に一対のパッド材を収容させた従来の携帯用パッド材の平面図及び断面説明図である。
【図３】この考案の実施形態に係るパッド材収容容器の平面図及び断面説明図である。
【図４】上記の実施形態に係るパッド材収容容器に設けられた収容凹部の周壁の例を示した断面説明図である。
【図５】上記の実施形態に係るパッド材収容容器の各収容凹部にパッド材を収容させた携帯用パッド材の平面図及び断面説明図である。
【図６】図５に示した携帯用パッド材を折り曲げ部で折り曲げて折り畳んだ状態を示した断面説明図である。
【図７】図５に示した携帯用パッド材から一方のパッド材だけを取り出す状態を示した断面説明図である。
【符号の説明】
【００４５】
１ａ，１ｂ  パッド材
２０  パッド材収容容器
２１，２２  収容凹部
２１ｃ，２２ｃ  開口部
２３  折り曲げ部
３０  閉塞部材
３１  切り離し部
【図１】
0003102443.tif 000003
【図２】
0003102443.tif 000004
【図３】
0003102443.tif 000005
【図４】
0003102443.tif 000006
【図５】
0003102443.tif 000007
【図６】
0003102443.tif 000008
【図７】
0003102443.tif 000009